(57)【要約】【課題】橋の床版の側面への固定が不要な張出地覆を提供すること。【解決手段】ブラケット１０は、上面１２と下面１４を有し、下面１４を床版３０と対向させて橋の床版３０に取付けるときに、床版３０の側面３２よりも内側に位置し、床版３０に面する床版部１１と、側面３２よりも外側に位置し、床版３０から張出す張出部１３、橋の橋長方向に延びる、床版部１１側の床版部辺１７、張出部１３側の張出部辺１８、橋の幅員方向に延びる２つの側辺１６ａ，１６ｂを具えている。側辺１６ａ，１６ｂが、床版部１１と張出部１３の境を跨ぐ上側縁部２２ａ，２２ｂを具えているから、ブラケット１０を床版３０に取付けたときの張出部１３の下方に掛かる荷重に対する強度を高めることができるので、床版３０の側面３２への固定が不要な張出地覆１００とすることができる。【選択図】図１
2018059314.tif 000002
【特許請求の範囲】
【請求項１】
橋の床版の幅員方向の端部に設置される張出地覆のためのブラケットであって、
上面と下面を有し、
前記下面を前記床版と対向させて取付けるときに、前記床版に面する、固定部を具える床版部、前記床版から張出す張出部、前記橋の橋長方向に延びる床版部辺と張出部辺、及び前記幅員方向に延びる側辺を具え、
少なくとも１つの前記側辺が、前記床版部と張出部の境を跨いで前記上面側に延びる上側縁部を具えることを特徴とする、
ブラケット。
【請求項２】
橋の床版の幅員方向の端部に設置される張出地覆のためのブラケットであって、
上面と下面を有し、
前記下面を前記床版と対向させて取付けるときに、前記床版に面する、固定部を具える床版部、前記床版から張出す張出部、前記橋の橋長方向に延びる床版部辺と張出部辺、及び前記幅員方向に延びる側辺を具え、
少なくとも１つの前記側辺が、前記床版部と張出部の境から前記張出部側に、前記下面側に延びる下側縁部を具えることを特徴とする、
ブラケット。
【請求項３】
前記張出部辺が前記下面側に延びる水切り垂下部を具える、請求項１又は２のブラケット。
【請求項４】
請求項１から３のいずれかのブラケットと、前記上面側に連結されるカバー部を具える張出地覆。
【請求項５】
前記ブラケットとカバー部の間に設けられる欄干ベースをさらに具える、請求項４の張出地覆。
【請求項６】
橋の床版の幅員方向の端部に設置される張出地覆のためのブラケットの製造方法であって、
上面と下面、前記下面を前記床版と対向させて取付けるときに、前記床版に面する、固定部を具える床版部、前記床版から張出す張出部、前記橋の橋長方向に延びる床版部辺と張出部辺、及び前記幅員方向に延びる側辺を形成し、
少なくとも１つの前記側辺の、前記床版部と張出部の境を跨ぐ一部を前記上面側に曲げて上側縁部を形成することを特徴とする、
ブラケットの製造方法。
【請求項７】
橋の床版の幅員方向の端部に設置される張出地覆のためのブラケットの製造方法であって、
上面と下面、前記下面を前記床版と対向させて取付けるときに、前記床版に面する、固定部を具える床版部、前記床版から張出す張出部、前記橋の橋長方向に延びる床版部辺と張出部辺、及び前記幅員方向に延びる側辺を形成し、
少なくとも１つの前記側辺の、前記床版部と張出部の境から前記張出部側の一部を前記下面側に曲げて下側縁部を形成することを特徴とする、
ブラケットの製造方法。
【請求項８】
さらに前記張出部辺の一部を前記下面側に曲げて水切り垂下部を形成する、請求項６又は７のブラケットの製造方法。
【発明の詳細な説明】
【技術分野】
【０００１】
本発明は、橋の床版の幅員方向の端部に設置される張出地覆に関し、具体的には、張出地覆の地覆部を載置するための台座、すなわち、ブラケットとその製造方法に関する。
【背景技術】
【０００２】
橋の床版の幅員方向の端部に設置される張出地覆には、強化樹脂製や鋼製のものがあり、例えば、特許文献１乃至３に開示されているような構造のものが知られている。
【先行技術文献】
【特許文献】
【０００３】
【特許文献１】特開２００４−１７６４００号公報
【特許文献２】特開２０１０−１２１２８１号公報
【特許文献３】特開２０１３−２５６７７７号公報
【発明の概要】
【発明が解決しようとする課題】
【０００４】
特許文献１，２には、鋼製中空筒体の地覆が開示されている。地覆部の底部は、地覆部の前面部よりも延出する延伸部と、底部の下面から垂下方向に延びる腹板を具えている。そして、延伸部を床版の上面に、腹板を床版の側面に当接させ、それぞれをボルトで床版に対して固定することで地覆を設置する。
【０００５】
一方、特許文献３の地覆は、同様に鋼製中空筒体であるが、延伸部を具える地覆部はベース部とカバー部から構成され、地覆部とは別体のブラケットを具えている。そして、ブラケットが床版の側面にボルトで取付けられた後、地覆が床版とブラケット上に載せられ、延伸部がボルトで床版に対して固定されることで、地覆が床版に設置される。
【０００６】
これらの地覆によれば、旧来のコンクリート製の地覆を床版に設ける場合に比べて短期施工が可能であり、張出地覆に求められる強度も保たれる。しかし、腹板又はブラケットを床版の側面にボルトで取付ける作業のために、橋の外側に足場を設け、作業後に足場を解体する必要があるので、その分、施工に時間と工数が掛かる。
【０００７】
そこで、本発明は、前述した従来技術の問題点に鑑み、橋の床版の側面への固定が不要な張出地覆を提供することを目的とする。
【課題を解決するための手段】
【０００８】
本発明は、橋の床版の幅員方向の端部に設置される張出地覆のためのブラケットであって、
上面と下面を有し、
前記下面を前記床版と対向させて取付けるときに、前記床版に面する、固定部を具える床版部、前記床版から張出す張出部、前記橋の橋長方向に延びる床版部辺と張出部辺、及び前記幅員方向に延びる側辺を具え、
少なくとも１つの前記側辺が、前記床版部と張出部の境を跨いで前記上面側に延びる上側縁部を具えることを特徴とするブラケット、
又は、
橋の床版の幅員方向の端部に設置される張出地覆のためのブラケットであって、
上面と下面を有し、
前記下面を前記床版と対向させて取付けるときに、前記床版に面する、固定部を具える床版部、前記床版から張出す張出部、前記橋の橋長方向に延びる床版部辺と張出部辺、及び前記幅員方向に延びる側辺を具え、
少なくとも１つの前記側辺が、前記床版部と張出部の境から前記張出部側に、前記下面側に延びる下側縁部を具えることを特徴とするブラケットによって前記課題を解決した。
【発明の効果】
【０００９】
本発明によれば、ブラケットの側辺が、床版部と張出部の境を跨いで上面側に延びる上側縁部、又は床版部と張出部の境から張出部側に、下面側に延びる下側縁部を具えているので、ブラケットを床版に取付けたときの、張出部の下方に掛かる荷重に対する強度を十分に保つことができる。このため、床版の側面に対する作業を要しないから、地覆を床版に設置する際、橋の外側に足場を設置する必要がないので、施工時間と工数の削減をすることができる。
【００１０】
また、張出部辺が下面側に延びる水切り垂下部を具える構成とすれば、ブラケットに付着した水分が水切り垂下部を伝って滴り易いので、水分による劣化等の問題を防止し易い。
【００１１】
また、上側縁部、下側縁部、水切り垂下部は、ブラケットの対応する辺の一部を曲げて形成するのがよい。この方法によれば、ブラケットを１枚の板状部材から製造することができるので、製造コストと工数を低減することができる。
【図面の簡単な説明】
【００１２】
【図１】本発明の第１実施形態のブラケットの斜視図。
【図２】本発明の第１実施形態のブラケットと地覆部を床版に設置したときの側面図。
【図３】本発明の第１実施形態のブラケットと支柱台座を具えるベース部を組合せたときの斜視図。
【図４】本発明の第１実施形態のブラケットと地覆部を組合せたときの斜視図。
【図５】本発明の第１実施形態のブラケットと地覆部を具える張出地覆の連結部分の正面図。
【図６】本発明の第２実施形態のブラケットの斜視図。
【図７】本発明の第２実施形態のブラケットと地覆部を床版に設置したときの側面図。
【図８】本発明の第３実施形態のブラケットの斜視図。
【発明を実施するための形態】
【００１３】
本発明の実施例を図１〜８を参照して説明する。但し、本発明はこの実施形態に限定されるものではない。
【００１４】
図１に示すブラケット１０は、板状で、鋼等の金属又は強化樹脂などで構成され、橋の床版３０（図２参照）の幅員方向の端部に設置されるものである。ブラケット１０は、上面１２と下面１４を有し、下面１４を床版３０と対向させて固定部１５を貫くボルト等（図示省略）で床版３０に取付けるときに（図２参照）、二点鎖線で示す床版３０の側面３２よりも内側に位置し、床版３０に面する床版部１１と、側面３２よりも外側に位置し、床版３０から張出す張出部１３を具えている。同時に、橋の橋長方向に延びる、床版部１１側の辺、床版部辺１７と、張出部１３側の辺、張出部辺１８を具え、さらに、橋の幅員方向に延びる２つの側辺１６ａ，１６ｂを具えている。
【００１５】
側辺１６ａ，１６ｂは、床版部１１と張出部１３の境、すなわち、床版３０の側面３２に一致する位置を跨ぐ上側縁部２２ａ，２２ｂを具えている。上側縁部２２ａ，２２ｂは、側辺１６ａ，１６ｂから上面１２側に延びる突縁であり、側辺１６ａ，１６ｂの一部が上面１２側に曲げられることにより形成されている。好適な曲げ角度は９０度である。これにより、ブラケット１０を床版３０に取付けたときの、張出部１３の下方、すなわち、上面１２側から掛かる荷重に対する強度を高めることができる。なお、上側縁部２２ａ，２２ｂは、床版部１１と張出部１３の境を跨いでいれば、その寸法は任意に調整することができ、また、側辺１６ａ，１６ｂのいずれか一方に設けられていればよい。
【００１６】
一方、ブラケット１０の張出部辺１８は、下面１４側に延びる突縁である水切り垂下部２４を具えている。水切り垂下部２４は、張出部辺１８に溶接する等して形成することも可能であるが、張出部辺１８の少なくとも一部が下面１４側に曲げられることにより形成されるのがよい。本構成によれば、ブラケット１０に付着した水分が水切り垂下部２４を伝って滴り易いので、水分による劣化等の問題を防止し易い。水切り垂下部２４は、張出部辺１８の全長に亘って設けるのが好ましい。
【００１７】
ブラケット１０の固定部１５は、床版３０に対向するように設けられる必要があるから、床版部１１に設けられることになる。固定部１５の構成は、床版３０に対する固定方法によって異なるが、通常、ブラケット１０は、アンカーボルトＶ（図２参照）によって床版３０に固定されるので、図示しているようなボルト孔とすることができる。ボルト孔であれば、板状のブラケット１０に穿孔加工を施すだけなので、製造コストを抑えることができる。
【００１８】
図２は、ブラケット１０と、ベース部４２及びカバー部４４で構成される地覆部４０からなる張出地覆１００が床版３０に設置されている状態を示している。張出地覆１００の床版３０への設置手順の例は、まず、床版３０の上側面３４から下側面３６に向けてアンカーボルトＶ用の穴３８を設けた後、ブラケット１０の下面１４（図１参照）を床版３０と対向させてブラケット１０を床版３０の上側面３４に置き、この状態で固定部１５（図１参照）を貫くアンカーボルトＶによって仮固定する。これを橋の全長に亘って行う。このとき、床版３０の幅員方向の端部には、ブラケット１０が連続して固定されていることになり、ブラケット１０の上に工事のための資材等を置くこともできる。次に、ベース部４２をブラケット１０ごとに載せ、アンカーボルトＶによってベース部４２をブラケット１０とともに床版３０に対して固定する。そして、ベース部４２とカバー部４０を図示しないボルト等の連結具によって連結する。その後、床版３０上に道路や歩道を敷設する。このように、張出地覆１００を床版３０に設置するにあたって、床版３０の側面３２への固定作業を要しないから、橋の外側に足場を設置する必要がないので、施工時間と工数の削減をすることができる。なお、他の方法として、張出地覆１００を組立ててから床版３０に設置することも可能である。
【００１９】
図３は、張出地覆１００のブラケット１０とベース部４２を、図４は、張出地覆１００のブラケット１０、ベース部４２及びカバー部４４を示している。ベース部４２は、ブラケット１０の上側縁部２２ａ，２２ｂより内側に載せられ、床版３０にアンカーボルトＶでブラケット１０とともに固定される（図２参照）。ベース部４２は、例えば、それ自体の補強のためのリブ４６、カバー部４４との連結用ボルト孔４７、及び欄干（図示省略）を取付けるための欄干ベース４８を具えるように構成される。欄干ベース４８は、カバー部４４とブラケット１０の間に位置する。欄干ベース４８には、孔４８ａが設けられており、カバー部４４にも、孔４８ａに対応する位置に孔４４ａが設けられているため、両方の孔を貫通するボルト等によってカバー部４４上に欄干を固定することができる。なお、欄干ベース４８を具えていないタイプのベース部４２もある。また、張出地覆１００では、ベース部４２とブラケット１０は別体であるが、これらを一体のものとしてもよい。
【００２０】
前述のとおり、張出地覆１００は、橋の全長に亘って複数個設置されるものである。そこで、張出地覆１００同士の連結部分を示したのが図５である。図示しているように、カバー部４４の一端の内側にはインロー部４５が設けられ、隣り合うカバー部４４同士がインロー結合するように構成されている。本構成とすれば、カバー部４４同士の高さを合わせ易い。一方、詳細な図示は省略するが、隣り合う上側縁部２２ａ，２２ｂの対向する位置に孔を開け、ボルト等で連結してもよい。これにより、張出地覆１００同士の結合を強固にすることができる。
【００２１】
図６は、本発明の別の実施形態であるブラケット１０ａを示している。ブラケット１０ａの基本的な構成はブラケット１０と同じであり、図示しているように、上面１２と下面１４を有し、下面１４を床版３０と対向させて固定部１５を貫くボルト等（図示省略）で床版３０に取付けるときに（図７参照）、二点鎖線で示す床版３０の側面３２よりも内側に位置し、床版３０に面する床版部１１と、側面３２よりも外側に位置し、床版３０から張出す張出部１３を具えている。同時に、橋の橋長方向に延びる、床版部１１側の辺、床版部辺１７と、張出部１３側の辺、張出部辺１８を具え、さらに、橋の幅員方向に延びる２つの側辺１６ａ，１６ｂを具えている。
【００２２】
ブラケット１０ａは、ブラケット１０と異なり、側辺１６ａ，１６ｂが、床版部１１と張出部１３の境、すなわち、床版３０の側面３２に一致する位置から張出部１３側に下側縁部２６ａ，２６ｂを具えている。下側縁部２６ａ，２６ｂは、側辺１６ａ，１６ｂから下面１４側に延びる突縁であり、側辺１６ａ，１６ｂの一部が下面１４側に曲げられることにより形成されている。好適な曲げ角度は９０度である。図７に示すように、ブラケット１０ａを床版３０に固定したとき、下側縁部２６ａ（２６ｂも同様である。）は、床版３０の側面３２に当接する。これにより、ブラケット１０ａを床版３０に取付けたときの、張出部１３の下方、すなわち、上面１２側から掛かる荷重に対する強度を高めることができる。なお、下側縁部２６ａ，２６ｂは、床版部１１と張出部１３の境から張出部１３側に延びるものであれば、寸法は任意に調整することができ、また、側辺１６ａ，１６ｂのいずれか一方に設けられていればよい。なお、ブラケット１０ａと地覆部４０との構成や、隣り合うブラケット１０ａ同士の構成は、ブラケット１０と同様であるため、説明を省略する。
【００２３】
次に、図８を用いて、本発明のブラケットの組合せを説明する。図示しているように、ブラケット１０ｂ，１０ｃ，１０ｄは、それぞれ、側辺１６ａを具え、ブラケット１０ａの場合と同様に、床版部１１と張出部１３の境（二点鎖線で示す、床版の側面３２に一致する位置。）から張出部１３側に下側縁部２６ａを具えている。ブラケット１０ｂ，１０ｃ，１０ｄの上には、単一のベース部４２（図３参照）が載せられる。このように、ベース部に対してブラケットの個数を多くすることにより、強度を確保するための下側縁部の数を増やすことができるので、強度をさらに高めることができる。また、ブラケット１０ｂ，１０ｃ，１０ｄは、比較的軽量になるので、床版への設置作業がし易くもなる。なお、ブラケット１０ｂ，１０ｃ，１０ｄの各々の側辺１６ｂに、ブラケット１０ａのような下側縁部２６ｂを設けることもでき、また、ブラケット１０ｂ，１０ｃ，１０ｄに載せるベース部に干渉しないのであれば、例えば、ブラケット１０ｂの側辺１６ｂにブラケット１０のような上側縁部２２ｂを設けることもできる。
【００２４】
以上、上側縁部２２ａ，２２ｂ、下側縁部２６ａ，２６ｂを具えるブラケット１０乃至１０ｄの構成をそれぞれ説明した。図示はしないが、他の構成として、一方の側辺が上側縁部を具え、他方の側辺が下側縁部を具えるブラケットとすることもできる。また、上側縁部又は下側縁部は、上述のとおり、側辺の一部を曲げ加工することによって形成すると製造コストを抑えることができるが、溶接加工によって設けることもできる。そして、上側縁部を具える側辺に下側縁部を溶接する等して、上側縁部と下側縁部の両方を具えるブラケットとすることも可能である。
【００２５】
以上、本発明のブラケットを用いれば、橋の床版の側面への固定が不要な張出地覆を提供することができる。
【符号の説明】
【００２６】
１０〜１０ｄ  ブラケット
１１    床版部
１２    上面
１３    張出部
１４    下面
１５    固定部
１６ａ，１６ｂ  側辺
１７    床版部辺
１８    張出部辺
２２ａ，２２ｂ  上側縁部
２４    水切り垂下部
２６ａ，２６ｂ  下側縁部
３０    床版
４２    ベース部
４４    カバー部
４８    欄干ベース
１００，１００ａ  張出地覆
【図１】
2018059314.tif 000003
【図２】
2018059314.tif 000004
【図３】
2018059314.tif 000005
【図４】
2018059314.tif 000006
【図５】
2018059314.tif 000007
【図６】
2018059314.tif 000008
【図７】
2018059314.tif 000009
【図８】
2018059314.tif 000010